(57)【特許請求の範囲】
【請求項１】
レールまたは引戸のうちの１方に設けられて係止部を有する板バネと、レールまたは引戸のうちの他方に設けられて上記板バネの係止部と係合する係合部材とを備える引戸用位置決め装置において、
上記板バネを固定する押え板と、
上記押え板によって固定されて、上記板バネの支点を調整するスライド可能な調整板とを備え、
上記板バネが、上記調整板を介して上記押さえ板で固定されている
ことを特徴とする引戸用位置決め装置。
【請求項２】
請求項１による引戸用位置決め装置において、
上記調整板は、スライド方向に延びる長穴を有することを特徴とする引戸用位置決め装置。
【請求項３】
請求項１または２による引戸用位置決め装置において、
上記調整板は、端部が屈曲していることを特徴とする引戸用位置決め装置。
【請求項４】
請求項１乃至３のいずれか１つによる引戸用位置決め装置において、
上記係合部材は、上記引戸に対するストッパとなる緩衝部材を介して固定されていることを特徴とする引戸用位置決め装置。
【発明の詳細な説明】
【０００１】
【発明の属する技術分野】
この発明は、レールに沿って開閉する引戸を、全開に保つ引戸用位置決め装置に関する。
【０００２】
【従来の技術】
従来、出入口に設けられて幅方向に動く引戸を、全開位置に保持する引戸用位置決め装置としては、図２に示すようなものがある。この位置決め装置１０１は、図２において左側端部が山型に屈曲してなる係止部１０２を有する板バネ１０３と、この板バネ１０３の係止部１０２と係合する略円筒形の係合部材１０５を備える。上記板バネ１０３は、引戸１０６の動きを止めるゴム製の緩衝部材１０７と共に取付部材１０９に設けられて、この取付部材１０９は、上記引戸１０６を吊下げる吊具１１０に備える図示しない戸車が回動するレール１１１の端部に設置される。一方、上記係合部材１０５は上記引戸１０６の吊具１１０に、この吊具１１０から突出するように設けられる。上記引戸１０６を幅方向に動かして全開位置にすると、上記吊具１１０が上記緩衝部材１０７に当接して引戸１０６の動きが止まると共に、上記係合部材１０５が上記板バネ１０３の係止部１０２に係止して、この引戸１０６を全開位置に保持するようになっている。
【０００３】
上記引戸１０６は、図示しない付勢装置によって常に引戸１０６を閉める方向に付勢される自閉式引戸であるが、上記位置決め装置１０１で上記引戸１０６を全開位置に保持して、その間に出入口から荷物の搬入や搬出をしたり、車椅子の出入りができるようになっている。
【０００４】
上記引戸用位置決め装置１０１において、上記引戸１０６を全開位置に保持する保持力は、以下のようにして調節する。上記板バネ１０３は、図２において右側端がピン１１２によって上記取付部材１０９に固定されていると共に、この板バネ１０３の長手方向の略中央に、スプリングバネ１１３を軸の周りに備えて上記取付部材１０９に没入可能なネジ１１４が貫通している。このネジ１１４の没入深さを変えると上記スプリングバネ１１３の上記板バネ１０３への付勢力が変わって、上記板バネ１０３のバネ強さが調節可能になっている。例えば、上記ネジ１１４を締めて上記スプリングバネ１１３の上記板バネ１０３への付勢力を増すと、板バネ１０３のバネ強さが強くなって、上記係合部材１０５との係合が解き難くなる。そうすると、上記位置決め装置１０１が上記引戸１０６を全開に保持する保持力が増す。
【０００５】
【発明が解決しようとする課題】
しかしながら、上記従来の位置決め装置１０１は、引戸１０６の保持力を調節するために上記板バネ１０３のバネ強さを変える場合、上記ネジ１１４をネジ回しで回す必要があるので手間がかかる。
【０００６】
また、この板バネ１０３のバネ強さは、上記ネジ１１４の取付部材１０９への没入深さに対応するので、このネジ１１４を見ただけでは板バネ１０３のバネ強さを把握し難い。そのため、上記板バネ１０３のバネ強さを調節する際には、上記ネジ１１４をネジ回しで回した後、上記引戸１０６を動かして実際に係合部材１０５を板バネ１０３と係合させて板バネ１０３のバネ強さを確認する必要がある。したがって、所望のバネ強さを得られるまで上記ネジ１１４を回して上記引戸１０６を全開にする動作を繰り返すことになって、バネ強さの調節が非常に面倒である。
【０００７】
さらに、上記板バネ１０３のバネ強さを調節する機構は、上記スプリングバネ１１３と、ネジ１１４とからなって、部品点数が比較的多くて構造が比較的複雑であるので、製造時の組立てコストが比較的高いという問題もある。しかも、位置決め装置１０１を長期間に亘って使用すると、金属性のスプリングバネ１１３が錆びて上記板バネ１０３のバネ強さが調整不能になって、位置決め装置１０１の耐久性が悪いという問題がある。
【０００８】
また、上記ネジ１１４が上記板バネ１０３の下側に突出しているのでスペースを取って、位置決め装置１０１が比較的大きくなるという問題がある。
【０００９】
また、上記板バネ１０３とスプリングバネ１１３は金属製なので、上記板バネ１０３が上記係合部材１０５と係合する際の衝撃によって、上記板バネ１０３とスプリングバネ１１３が騒音を出すという問題もある。
【００１０】
また、上記板バネ１０３が上記係合部材１０５と係合する際の衝撃が引戸１０６に伝わって、上記引戸１０６を全開にしたときの感触が悪いという問題もある。
【００１１】
そこで、この発明の目的は、板バネのバネ強さの調節が容易で、かつ、このバネ強さを容易に把握できる引戸用位置決め装置を提供することにある。また、構造が簡単で耐久性が良く、かつ、設置スペースを取らない引戸用位置決め装置を提供することにある。さらに、騒音が少なくて、引戸を全開にする際の感触が良い引戸用位置決め装置を提供することにある。
【００１２】
【課題を解決するための手段】
上記目的を達成するため、請求項１の発明の引戸用位置決め装置は、レールまたは引戸のうちの１方に設けられて係止部を有する板バネと、レールまたは引戸のうちの他方に設けられて上記板バネの係止部と係合する係合部材とを備える引戸用位置決め装置において、
上記板バネを固定する押え板と、
上記押え板によって固定されて、上記板バネの支点を調整するスライド可能な調整板とを備え、
上記板バネが、上記調整板を介して上記押さえ板で固定されている
ことを特徴としている。
【００１３】
この引戸用位置決め装置によれば、上記調整板をスライドさせて、この調整板の上記係止部側の端部の位置を変える。上記調整板の係止部側の端部は、上記板バネが上記係止部と係合する際に揺動する支点であるので、上記調整板の係止部側の端部の位置を変えると上記板バネの揺動長さが変わってバネ強さが変わる。すなわち、上記調整板を所定の位置にスライドさせて上記押え板で上記板バネを固定するだけで、上記板バネのバネ強さが所望の強さになる。したがって、上記板バネのバネ強さの調節が容易である。また、上記板バネのバネ強さを変えるために、従来におけるスプリングバネを使わないので構造が簡単で、しかも、上記スプリングバネが錆びてバネ強さの調節が不能になることがなく、位置決め装置の耐久性がよい。さらに、上記調整板は上記板バネに平行に重なっているので、従来における板バネに直角に突出するネジが無いから、位置決め装置は小型で設置スペースが小さい。
【００１４】
請求項２による引戸用位置決め装置は、請求項１による引戸用位置決め装置において、上記調整板は、スライド方向に延びる長穴を有することを特徴としている。
【００１５】
この引戸用位置決め装置によれば、上記調整板にスライド方向に延びる長穴を設け、この長穴に、上記押え板を上記板バネに向って押しつける例えばボルトを挿通する。そうすると、上記板バネのバネ強さを調節する際に、上記ボルトを弱めて上記調整板を大きくスライドさせても、この調整板は上記板バネと押え板の間から抜け落ちない。そのため、上記板バネのバネ強さを調節し易い。
【００１６】
請求項３による引戸用位置決め装置は、請求項１または２による引戸用位置決め装置において、上記調整板は、端部が屈曲していることを特徴としている。
【００１７】
この引戸用位置決め装置によれば、上記調整板において上記板バネの係止部より遠い側の端部が、屈曲している。この屈曲部をつまむと上記調整板を容易にスライドできるので、上記板バネのバネ強さを調節し易い。
【００１８】
また、この引戸用位置決め装置によれば、上記調整板の屈曲部が上記板バネの係止部から遠い位置にあると、上記板バネの揺動長さが長いから、この板バネのバネ強さは弱い。逆に、この調整板の屈曲部が上記板バネの係止部に近い位置にあると、上記板バネの揺動長さが短いから、この板バネのバネ強さが強い。このように、上記調整板の屈曲部が配置される上記板バネの長手方向における位置によって上記板バネの強さが分かるので、上記屈曲部の位置を見るだけで、上記板バネのバネ強さを把握できる。すなわち、この引戸用位置決め装置が引戸を全開に保持する保持力を、容易に把握できる。
【００１９】
請求項４による引戸用位置決め装置は、請求項１乃至３のいずれか１つによる引戸用位置決め装置において、上記係合部材は、上記引戸に対するストッパとなる緩衝部材を介して固定されていることを特徴としている。
【００２０】
この引戸用位置決め装置によれば、上記板バネの係止部と係合する係合部材は、上記緩衝部材を介して固定されているので、上記係止部を形成する板バネの係止部が上記係合部材と係合する際の衝撃を、上記緩衝部材が和らげる。したがって、上記板バネが上記係合部材と係合する際に殆ど騒音が出なくて、また、引戸を全開にする際の感触が良い。
【００２１】
【発明の実施の形態】
以下、この発明を図示の実施の形態により詳細に説明する。
【００２２】
図１はこの発明による引戸用位置決め装置を示す図である。この位置決め装置１は、図1において右側に係止部２としての屈曲部を有する板バネ３と、上記係止部に係合する係合部材５を備える。
【００２３】
上記板バネ３は、図１において左側部分に、この板バネ３の下面に接する調整板６と、この調整板６の下面に接する押え板７とを備え、上記板バネ３と調整板６と押え板７とは、２個のボルト９，９によって吊具１０に固定されている。この吊具１０は戸車１１，１１を有し、この戸車１１，１１がレール１２に沿って回動すると、上記吊具１０が吊下げる引戸１４が幅方向に移動する。図１に示す引戸１４は、この引戸１４を設けた出入口が全開になる位置にある。
【００２４】
上記係合部材５は合成樹脂からなり、ゴム製の緩衝部材１３を介してボルト１５で取付部材１７に取り付けられている。この取付部材１７は、図１に示すように引戸１４の全開の位置において、引戸１４の吊具１０が上記緩衝部材１３に当接すると共に、上記板バネ３が上記係合部材５と係合するように、レール１２の端部に設置されている。上記引戸１４は、図示しない付勢装置を備える自閉式引戸である。
【００２５】
上記構成の引戸用位置決め装置を備える引戸１４を幅方向に動かして、この引戸１４を設けた出入口を全開にする。そうすると、上記引戸１４の吊具１０が上記緩衝部材１３に当接して引戸１４の動きが止まると共に、上記板バネ３の係止部２が上記係合部材５と係合して、上記引戸１４が全開位置に保持される。このとき、上記板バネ３の係止部２が上記係合部材５と係合するときの衝撃が、上記係合部材５を取付部材１７に押圧している緩衝部材１３によって和らげられるので、上記板バネ３および係合部材５は騒音を殆ど出さない。また、上記引戸１４に上記板バネ３の係止部２が上記係合部材５と係合するときの衝撃が殆ど伝わらないので、上記引戸１４を全開にするときの感触が良い。
【００２６】
上記引戸用位置決め装置が上記引戸１４を全開に保持する保持力は、以下のようにして調節する。上記板バネ３が上記係合部材５と係合するとき、上記調整板６の図１において右側端部を支点にして、上記板バネ３が揺動する。この板バネ３のバネ強さが強すぎる場合は、上記板バネ３の揺動長さを長くしてバネ強さを弱める。すなわち、上記ボルト９，９を緩めて上記押え板７が調整板６を押圧する力を緩めた後、上記調整板６の左側端部の屈曲部１８をつまんで上記調整板６を図１の左側にスライドさせて、上記ボルト９，９を締めて上記押え板７を再び調整板６に押圧する。そうすると、上記調整板６の右側端部の位置が左側に移るので、上記板バネ３の揺動支点が左側に移って、板バネ３の揺動長さが長くなる。そうすると、この板バネ３のバネ強さが弱くなって、上記引戸を全開に保持する保持力が弱まる。
【００２７】
上記板バネ３のバネ強さは、上記調整板６の図１における横方向位置に対応するので、上記調整板６の屈曲部１８の横方向位置を見ると、板バネ３のバネ強さが分かる。すなわち、上記調整板６の屈曲部１８が図１において最も右側にあると、上記板バネ３のバネ強さが最も強く、上記調整板６の屈曲部１８が最も左側にあると、上記板バネ３のバネ強さが最も弱い。したがって、上記板バネ３の最も強いバネ強さと、最も弱いバネ強さとが予め分かっていると、上記調整板６の屈曲部１８の図１における左右位置を決めるだけで、上記板バネ３のバネ強さを所望の強さにできる。そのため、従来における引戸用位置決め装置のように、バネ強さを変える度に引戸を全開にして板バネを係合部材に係合させて、板バネのバネ強さを確認する必要がないので、板バネ３のバネ強さの調節が簡単である。
【００２８】
また、上記調整板６は、スライド方向、すなわち図１において左右に延びる長穴を有し、この長穴に、上記ボルト９，９が貫通している。そのため、上記板バネ３のバネ強さを調節する際に、上記調整板６を左側に大きくスライドさせても、この調整板６は上記板バネ３と押え板７との間から抜け落ちない。そのため、上記板バネ３のバネ強さを調節し易い。
【００２９】
また、上記板バネ３のバネ強さは上記調整板６で調節するので、従来における板バネにバネ強さを与えるスプリングバネや、このスプリングバネの付勢力を調整するボルトが無いので、引戸用位置決め装置の部品点数が少なくて構造が簡単である。したがって、引戸用位置決め装置を容易に組立てることができ、材料コストおよび組立てコストが安価である。
【００３０】
また、従来の引戸用位置決め装置のように、スプリングバネが無いので、このスプリングバネが錆びてバネ強さが低下することがないから、引戸用位置決め装置の耐久性が良い。
【００３１】
また、従来における引戸用位置決め装置のように、取付部材の下方に延びてスプリングバネの付勢力を調整するボルトが無いので、引戸用位置決め装置はコンパクトになる。
【００３２】
上記実施形態において、上記板バネ３を引戸１４側に設け、係合部材５と緩衝部材１３をレール１２側に設けたが、上記板バネ３をレール１２側に設け、係合部材５と緩衝部材１３を引戸１４側に設けてもよい。
【００３３】
上記実施形態において、上記調整板６は、上記板バネ３の下側に設けたが、上記調整板６を板バネ３の上側に配置してもよい。
【００３４】
上記実施形態において、上記緩衝部材１３は、ゴムからなるが、例えばプラスチック等の弾性を有する他の材料を用いてもよい。
【００３５】
【発明の効果】
以上より明らかなように、請求項１の発明の引戸用位置決め装置は、係止部を有する板バネに、この板バネを固定する押え板と、上記押え板によって固定されて上記板バネの支点を調整するスライド可能な調整板とを備えるので、上記調整板を上記板バネの長手方向にスライドさせて所望の位置に固定すると、上記板バネのバネ強さを所望の強さにできる。したがって、上記板バネのバネ強さを容易に調節できる。さらに、従来のスプリングバネで板バネのバネ強さを調節する引戸用位置決め装置よりも構造が簡単なので、位置決め装置の部品点数を少なくできて位置決め装置を安価にできる。また、従来における板バネが備えるスプリングバネが錆びて板バネのバネ強さが調節不能にならないので、位置決め装置の耐久性を向上できる。さらに、上記調整板は上記板バネに平行に配置されているので、従来における板バネに直角に突出するネジが無いから、位置決め装置を小型にできる。
【００３６】
請求項２による引戸用位置決め装置は、請求項１による引戸用位置決め装置において、上記調整板は、スライド方向に延びる長穴を備えるので、この長穴に上記押え板を上記板バネに向って押しつける例えばボルトを挿通すると、上記板バネのバネ強さを調節する際に上記調整板を大きくスライドさせても、この調整板は上記板バネと押え板の間から抜け落ちない。そのため、上記板バネのバネ強さを調節し易くできる。
【００３７】
請求項３による引戸用位置決め装置は、請求項１または２による引戸用位置決め装置において、上記調整板は、端部が屈曲しているので、この屈曲部をつまんで上記調整板を容易にスライドできるから、上記板バネのバネ強さを調節し易くできる。また、この引戸用位置決め装置によれば、上記調整板の屈曲部が上記板バネの長さ方向に固定される位置に対応して上記板バネの強さが決まるので、上記屈曲部の位置を見るだけで上記板バネのバネ強さを把握できるから、この引戸用位置決め装置が引戸を全開に保持する保持力を、容易に把握できる。
【００３８】
請求項４による引戸用位置決め装置は、請求項１乃至３のいずれか１つによる引戸用位置決め装置において、上記係合部材は、上記引戸に対するストッパとなる緩衝部材を介して固定されているので、上記板バネの係止部と上記係合部材とが係合する際の衝撃を上記緩衝部材によって和らげることができて、上記板バネと上記係合部材による騒音を少なくでき、また、引戸を全開にする際の感触を良くできる。
【図面の簡単な説明】
【図１】  この発明の実施の形態の引戸用位置決め装置を示す側面図である。
【図２】  従来の引戸用位置決め装置を示す側面図である。
【符号の説明】
１  引戸用位置決め装置
２  係止部
３  板バネ
５  係合部材
６  調整板
７  押え板
９  ボルト
１０  吊具
１１  戸車
１２  レール
１３  緩衝部材
１４  引戸
１５  ボルト
１７  取付部材
１８  屈曲部
【図１】
0003658274.tif 000002
【図２】
0003658274.tif 000003